(57)【特許請求の範囲】
【請求項１】
ロール紙の中央部の穴に嵌合する支持円筒部と、円板状のフランジ部と、前記支持円筒部の根元に形成される段差部とからなるフランジ部材を有し、前記段差部により前記フランジ部の内面とロール紙の端面との間に所定の間隙が形成されるようにしてロール紙の両端部を保持するロール紙保持装置において、前記間隙に着脱自在に挿入されて前記段差部に取り付けられ、使用時に取り外されるスペーサ部材を備えていることを特徴とするロール紙保持装置。
【請求項２】
前記スペーサ部材は、前記間隙に挿入されて前記フランジ部材の前記段差部に取り付けられたとき、ロール紙の外周から外方に突出する部分を有することを特徴とする請求項１記載のロール紙保持装置。
【請求項３】
前記スペーサ部材に、取手部が設けられていることを特徴とする請求項１または２に記載のロール紙保持装置。
【請求項４】
前記スペーサ部材に、前記ロール紙の外径に応じた残量を示す目盛が設けられていることを特徴とする請求項１ないし３のいずれか１項に記載のロール紙保持装置。
【請求項５】
前記スペーサ部材に、前記ロール紙の外周面の一部を押えるストッパが設けられていることを特徴とする請求項１ないし４のいずれか１項に記載のロール紙保持装置。
【発明の詳細な説明】
【０００１】
【発明の属する技術分野】
発明は、複写機、プリンタ、ファクシミリ等紙送り機構を有する画像形成装置に装着可能なロール紙保持装置に関する。
【０００２】
【従来の技術】
複写機、プリンタ、ファクシミリ等の画像形成装置において、画像を転写する転写紙としてロール紙を用い、原稿のサイズに合わせて任意の長さに切断することは、例えば特開２０００−２８９８９５公報等に提案されている。この従来技術においては、通常の用紙のロールやトレーシングペーパのような用紙のロールなど複数本のロール紙が装着できるようなっており、操作者が用紙の種類や原稿サイズに対応する幅の用紙を選択することにより、選択された用紙が画像転写部に送られるようになっている。また、この従来技術には、ロール紙の軸方向両端にフランジ部材を装着し、このフランジ部材を回転自在に支持する支持手段を設けることが開示されている。この構成により、簡単な構造でロール紙のセット性を向上させている。
【０００３】
一方、上記従来技術には、図１２の（ａ）に示すように、フランジ部材１３のフランジ部１４の中心部に、ロール紙１の芯である紙管１ａに挿入される支持円筒部１５を設けるとともに、この支持円筒部１５のフランジ部１４との接合部を支持円筒部１５より僅かに大きな直径の段部１８に形成した例が開示されている。これは、ロール紙１の側面が均一に切断されていなかったり、吸湿し側面が伸びてしまったロール紙１に対し、ある程度使用を可能にするために、形状が安定している紙管１ａの付近で位置を決めるためである。
【０００４】
したがって、端面がきれいに切り揃えられている通常の場合は、図１２（ａ）に示すように、ロール紙１の端面とフランジ部１４との間には空間ができる。そのため、図１２の（ｂ）に示すように、管理や工程が悪く、ロール紙１の端面にばらつきが生じたり、図１２の（ｃ）に示すように、保管状態が悪く吸湿してしまい、端部が伸びてしまった場合でも、上記の段差１８を設けることで、フランジ部材１３は最もバラツキや変形を受けにくい紙管１ａの近傍に当接するなので、ロール紙１の適正な取付けができる。
【０００５】
【発明が解決しようとする課題】
しかしながら、実際の使用状況においては、上記のような不具合のあるロール紙１を使う場合は少なく、むしろ、正常なロール紙を使用しているにも拘わらず、上記対策のために設けた段差１８による影響が懸念される場合がある。すなわち、フランジ部材１３をセットしたロール紙１の巻きが緩んだ場合、巻が左右にずれ、段差１８によって生じる隙間一杯までずれてしまう虞がある。
【０００６】
上述したようなフランジタイプによる保持機構は、ハンドリングが良く、邪魔にならないようにロール紙１に取り付けたまま、立てて保管されるケースが増えている。しかしながら、図１３の（ａ）に示すように、ロール紙１にフランジ部材１３を取り付けたまま縦にして保管した場合、ロール紙１の下面は、段差部１８以外は受けるものが無く、図１３の（ｂ）に示すように、自重で垂れ下がってくる傾向にある。この場合、外周部付近より徐々に巻が崩れ、図１３の（ｂ）に示すように、段差１８により生じる隙間が巻ズレにより埋まってしまう場合もある。この場合は、フランジ部材１３を取り外し、巻ズレを戻す必要がある。
【０００７】
本発明はこのような従来技術の実情に鑑みてなされたもので、その目的は、フランジタイプのロール紙保持において発生する巻崩れを防止できるロール紙保持装置を提供することにある。
【０００８】
【課題を解決するための手段】
前記目的を達成するため、第１の手段は、ロール紙の中央部の穴に嵌合する突起と円板状のフランジ部材とを備え、前記フランジ部材の内面とロール紙の端面との間に所定の間隙が形成されるようにしてロール紙の両端部を保持するロール紙保持装置において、前記間隙に着脱自在に挿入されるスペーサ部材を備えていることを特徴とする。
【０００９】
第２の手段は、第１の手段において、前記スペーサ部材が、前記間隙に挿入したとき、前記フランジ部材の回転を阻止するように外方に突出していることを特徴する。
【００１０】
第３の手段は、第１または第２の手段において、前記スペーサ部材に、取手部が設けられていることを特徴とする。
【００１１】
第４の手段は、第１ないし第３の手段において、前記スペーサ部材に、前記ロール紙の外径に応じた残量を示す目盛が設けられていることを特徴とする。
【００１２】
第５の手段は、第１ないし第４の手段において、前記スペーサ部材に、前記ロール紙の外周面の一部を押えるストッパが設けられていることを特徴とする。
【００１４】
なお、第１の手段によれば、間隙に着脱自在に挿入されるスペーサ部材を備えているので、ロール紙のフランジ部材へのセット後の巻きズレを防止することができる。
【００１５】
第２の手段によれば、スペーサ部材を取り付けたままでは、フランジ部材の回転が阻止され、複写機などの画像形成装置にセットできないので、誤操作を防止することができる。
【００１６】
第３の手段によれば、取手部が設けられているので、可搬性の向上を図ることができる。
【００１７】
第４の手段によれば、簡単に残量を把握することが可能となり、使いかけのロール紙を使用する場合でも、作業に必要な残量の把握が容易になる。
【００１８】
第５の手段によれば、ストッパが設けられているので、巻きズレとともにロール紙の緩みを防止留守ることができ、全く緩みの生じない状態で、使いかけのロール紙を保管することができる。
【００２０】
【発明の実施の形態】
以下、図面を参照し、本発明の実施形態について説明する。なお、上述した従来技術および以下の各実施の形態において、同等とみなせる各部には同一参照番号を付し、重複する説明は適宜省略する。
【００２１】
先ず、図１ないし図１０により第１の実施の形態について説明する。図１は本発明に係るロール紙保持装置を装着した複写機本体の概略構造図である。この複写機本体には、図示していないが、引き出し式の給紙トレイが設けられており、給紙トレイを引き出した状態で、ロール紙１が上又は前方（図１の左側）からセットできるようになっている。それぞれのロール紙１はフィードローラ対２により引き出され、画像転写部５に搬送される。各ロール紙１の搬送路は、用紙カッター３の前で合流するようになっている。それぞれのロール紙１はここで画像形成に必要とされる所定の長さに切断される。
【００２２】
用紙カッター３を通過したロール紙１は、レジストローラ４にて作像タイミングとの同期を取り、画像転写部５においてトナー転写をされた後に、定着部６にて熱定着をされ、機外に排出される。一方、原稿読取部７では、転写すべき画像の原稿が搬送され、その画像情報が読取られ、読取られた画像情報に基づいて画像転写部５の感光体５ａへの露光が行われている。
【００２３】
ロール紙１はロール紙セット部にセットされる。このロール紙セット部を図２および３により説明する。図２はロール紙セット部を分解して示す分解斜視図、図３はロール紙セット部にロール紙がセットされた状態を概略的に示す側面図である。ロールセット部には、受台８を載置する底板９が底面に設けられている。底板９には、受台８の下面に設けられたボス部１０が嵌合可能な複数個の嵌合孔１１が設けられている。これは、ロール紙１の規格サイズに対応できるようにするためにである。また底板９は、受台８の裏面に取り付けられたマグネット１２（図３参照）と吸着するために金属等で作られている。これにより、ボス部１０を嵌合孔１１に嵌合させることによって受台８を底板９に固定することができる。
【００２４】
一方、ロール紙１には、軸方向両端よりフランジ部材１３がそれぞれ嵌合される。各フランジ部材１３は、フランジ部１４とロール紙１の芯である紙管１ａに挿入固定される支持円筒部１５から構成される。支持円筒部１５の根元には、紙管１ａの直径近傍の大きさの円筒部を凸形状にすることにより、段差部１８が形成されている。この段差部１８の高さは一般的に５ｍｍ程度であり、上述した従来技術において説明したように、ロール紙１の不具合に対応するために設けられている。
【００２５】
ロール紙１のセット時には、片側（図２において左側）のフランジ部材１３のフランジ部１４は、給紙部内に設けられた位置規制部材１６により挟み込まれ、横位置のふらつきを抑えられる。この位置規制部材１６は、ユニット内の適当な位置に固定可能である。受台８の内部には、２個のコロ１７が並べて回転自在に組み込まれ、これらコロ１７でフランジ部１４を受けることで、ロール紙１を回転自由に保持する構成となる。
【００２６】
この第１の実施の形態においては、図４ないし７に示すように、フランジ部材１３のフランジ部１４とロール紙１との間の段差部１８により生じる隙間に、この隙間とほぼ同一厚のスペーサ部材１９を予め挿入するようになっている。このスペーサ部材１９により、ロール紙１が巻崩れてしまう余地をなくし、使用時に取り外すことにより、常に良好な保管状態を保つようにしている。図４はロール紙セット部のフランジにロール紙を装着した状態と、このフランジとロール紙間に装着されるスペーサ部材とを示す平面図、図５はフランジとロール紙間にスペーサ部材を装着した状態を示す平面図、図６はスペーサ部材のみを示す斜視図、図７はスペーサ部材を装着した状態でロール紙の搬送が行われた状態を概略的に示す側面図である。
【００２７】
このスペーサ部材１９は、図６に詳細に示すように、大別すると、スペーサ部２０、ロックレバー２１、取手部２４から構成される。スペーサ部２０は、その厚みｔが、段差部１８により生じる隙間とほぼ同等に構成されるとともに、その内周面が円弧状となっており、ロックレバー２１と併せて、段差部１８の外周を保持するようになっている。スペーサ部２０の内周面の円弧状部分の先端は挿入しやすいようにテーパ２１ａが形成されている。ロックレバー２１は、支点２３と中心に回転運動可能になっており、ロックスプリング２２により、自由端側がスペーサ部２０方向に加圧されている。ロックレバー２２の形状は、スペーサ部２０と同様に、その内周面が円弧状になっており、円弧状部分の先端にはテーパ２２ａが形成されている。このようにロックレバー２２は、ロックスプリング２２の加圧力により、段差部１８の外周を加圧保持する。ロックレバー２２の支点２３近傍には突起部２９が一体的に形成されており、この突起部２９は解除時のレバーとなり、取り外す際には突起部２９を引き、ロックレバー２１を開放させる。この動作により、ロール紙１に取りつけたフランジ部材１３を外さず、ズペーサ部材１９の付け外しを容易に行うことができる。また、誤ってスペーサ部材１９を取り付けたまま、ロール紙１の先端をフィードローラ２にセットして、ロール紙１を搬送しようとしても、取手部２４は、図７において時計方向に回転し、底板９の端縁部にＸのところで干渉し、紙送りが行われないので、操作者は容易に誤セット、すなわちスペーサ部材１９を取外さずに用紙の搬送を行なうとしていることに気付くことになる。
【００２８】
取手部２４には、手が通る大きさの貫通穴２７が穿設されており、操作者は図５に＊マークで示す矢印線のように、この貫通穴２７に手を入れることができるようになっている。これにより、ロール紙１を簡単に持ち上げ、搬送することができる。また、取手部２４の支点２３と相対する部分には、用紙押え２５が、取手部２４に設けられた長穴２４ａをガイドにして、ロール紙１の法線方向に移動可能になっている。この用紙押え２５はその一端部が長穴２４ａから突出し、長穴２４ａに挿入された加圧スプリング２６の加圧力にて、後述するようにロール紙１の外周面を押えることが出来るようになっている。長穴２４ａの長手方向の側縁部の取手部２４には、ロール紙１の残量を示す目盛２８が設けられており、用紙押え２５の位置に応じた、ロール紙１の残量を読み取ることができるようになっている。そのために、用紙押え２５の目盛２８側の側部には突起２５ａが形成されている。
【００２９】
一方、用紙押え２５はロール紙１の巻の緩みほづれを防止することができる。これを図８および９により説明する。図８はロール紙の巻きが緩みほづれた状態を説明するための側面図、図９はスペーサ部材によりほづれを押さえる状態を説明するための図である。図８に示すようなロール紙１の巻きが緩みほづれるような状態は、テープ等用紙の巻端部を固定する固定部材３１が外れることで多々おこる状況である。このような場合、巻ずれはしていなくとも、セット時に改めて巻直してやる必要があり、支障がある。しかしながら、スペーサ部材１９を取りつけた場合、加圧スプリング２６の押え力により用紙押え２５が、図９に示すように、用紙の巻端部を拘束するので、最大でも１巻分までしか緩まず、効果的である。このように、固定部材３１が外れても、ロール紙１の巻が緩んでいかないように、ストッパである用紙押え２５を設けているため、巻ずれと共にロール紙１の緩みを防ぐことができ、全く緩みの生じない状態で使いかけのロール紙を保管することができる。
【００３０】
さらに、用紙押え５と目盛２８とにより、図１０に示すように、ロール紙１のおおよその残量を知ることができる。図１０はスペーサ部材の用紙押えの部分を拡大して示す部分側面図である。この図から明らかなように、スペーサ部材１９が取り付けられた状態では、用紙押え２５はロール紙１の外周を拘束する。この用紙押え２５の一端には目盛２８の読み取りの指標となる突起２５ａが設けられているので、これに対応した目盛２８の値を読み取ることで、ロール紙１のおおよその残量を知ることができる。このように、簡単にロール紙１の残量を把握でき、使いかけのロール紙を使用する場合でも、作業に必要な残量の把握が容易であり、紙切れ等を防止する。
【００３１】
次に、図１１により本発明の第２の実施の形態について説明する。図１１は本発明のロール保持装置の第２の実施の形態を示す図で、（ａ）はそのフランジを示す斜視図、（ｂ）はロール紙に装着した状態を示す部分側面図である。この第２の実施の形態は、より簡易にロール紙の巻ずれを補正する例である。すなわち、フランジ部材１３のフランジ部１４には外周方向に延びる修正長穴４１が少なくとも１ヶ所設けられている。図１１（ｂ）に示すように、この修正長穴４１から操作者が手（指）を差し入れられるようにすることで、通常フランジ部１４に隠れている部分の巻ズレを容易に修正することができる。このようにして巻ずれを修正した後、第１の実施の形態で説明したスペーサ部材１９をフランジ部材１３の段差部１８に挿入するようにすれば、スペーサ部材１９の挿入時に、巻ずれによって緩んだ用紙をフランジ部材１３とロール紙１の端部との隙間に入り込むのを防止することができる。
【００３２】
【発明の効果】
以上のように、本発明によれば、ロール紙の側縁とフランジ部材の相対する面間の間隙にスペーサ部材を着脱自在に挿入しているので、ロール紙にフランジ部材をセット後の巻ずれを防ぐことができ、且つフランジ部材を外すことなく、ロール紙の付け外しができ、操作性を向上させることができる。
【図面の簡単な説明】
【図１】本発明の第１の実施形態に係るロール紙保持装置を装着した複写機本体の概略構造図である。
【図２】ロール紙セット部を分解して示す分解斜視図である。
【図３】ロール紙セット部にロール紙がセットされた状態を概略的に示す側面図である。
【図４】ロール紙セット部のフランジにロール紙を装着した状態と、このフランジとロール紙間に装着されるスペーサ部材とを示す平面図である。
【図５】フランジとロール紙間にスペーサ部材を装着した状態を示す平面図である。
【図６】スペーサ部材のみを示す斜視図である。
【図７】スペーサ部材を装着した状態でロール紙の搬送が行われた状態を概略的に示す側面図である。
【図８】ロール紙の巻きが緩みほづれた状態を説明するための側面図である。
【図９】スペーサ部材によりほづれを押さえる状態を説明するための図である。
【図１０】スペーサ部材の用紙押えの部分を拡大して示す部分側面図である。
【図１１】本発明の第２の実施形態に係るロール保持装置を示す図で、（ａ）はそのフランジを示す斜視図、（ｂ）はロール紙に装着した状態を示す部分側面図である。
【図１２】従来のロール紙保持装置におけるフランジとロール紙の端縁部との関係を示す図で、（ａ）は通常の状態を示し、（ｂ）は管理や工程が悪くばらついた状態を示し、（ｃ）はロール紙が吸湿により端部が膨張した状態を示す。
【図１３】フランジを装着して立てた状態で保管した場合を示す図で、（ａ）はその斜視図、（ｂ）はロール紙の端縁に巻きずれが生じた状態を示す部分側面図である。
【符号の説明】
１  ロール紙
３  用紙カッター
４  レジストローラ
５  画像転写部
６  定着部
７  原稿読取部
８  受台
１３  フランジ部材
１４  フランジ部
１５  支持円筒部
１７  コロ
１８  段差部
１９  スペーサ部材
２０  スペーサ部
２１  ロックレバー
２４  取手部
２２  ロックスプリング
２５  用紙押え
２５ａ  突起
２６  加圧スプリング
２７  貫通穴
２８  目盛
４１  修正長穴
【図１】
0004184642.tif 000002
【図２】
0004184642.tif 000003
【図３】
0004184642.tif 000004
【図４】
0004184642.tif 000005
【図５】
0004184642.tif 000006
【図６】
0004184642.tif 000007
【図７】
0004184642.tif 000008
【図８】
0004184642.tif 000009
【図９】
0004184642.tif 000010
【図１０】
0004184642.tif 000011
【図１１】
0004184642.tif 000012
【図１２】
0004184642.tif 000013
【図１３】
0004184642.tif 000014